【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
外部ネットワークからのアクセスを制限するファイアウォールサーバが備えられたネットワークに接続可能であり、ウェブサーバを備える画像形成装置であって、
ネットワークを介して受信した印刷ジョブを一時的に前記画像形成装置のメモリに蓄積する蓄積手段と、
前記印刷ジョブに固有に割り当てられる前記ウェブサーバにアクセスするためのＵＲＬを作成する作成手段と、
作成された前記ＵＲＬへのアクセスを検知する検知手段と、
前記ＵＲＬへのアクセスが検知されたことを条件として、一時的に蓄積された前記印刷ジョブの印刷を前記画像形成装置の印刷部に実行させる実行手段と
を備えることを特徴とする画像形成装置。
【請求項２】
前記作成手段によって前記ＵＲＬが作成されてからの時間を計時する計時手段と、
前記検知手段によって前記ＵＲＬへのアクセスが検知される前に、前記計時手段によって計時された時間が予め定められた時間を経過すると、一時的に蓄積された前記印刷ジョブを破棄する破棄手段と
をさらに備えることを特徴とする請求項１に記載の画像形成装置。
【請求項３】
前記画像形成装置の操作部を介して入力されるユーザ入力に基づき、蓄積対象とするジョブ種別を設定する設定手段と、
前記受信した印刷ジョブが設定された蓄積対象のジョブ種別であるか否かを判定する判定手段と、
前記印刷ジョブが前記蓄積対象のジョブ種別であると判定されると、前記蓄積手段によって一時的な蓄積を実行させ、前記印刷ジョブが前記蓄積対象のジョブ種別でないと判定されると、当該印刷ジョブの印刷を前記印刷部に実行させる制御手段と
をさらに備えることを特徴とする請求項１又は２に記載の画像形成装置。
【請求項４】
前記検知手段は、
予め設定されたＩＰアドレスからのアクセスを検知することを特徴とする請求項１乃至３の何れか１項に記載の画像形成装置。
【請求項５】
作成された前記ＵＲＬの情報を含む電子メールを前記印刷ジョブの送信元に送信する送信手段をさらに備えることを特徴とする請求項１乃至４の何れか１項に記載の画像形成装置。
【請求項６】
前記ジョブ種別には、予め定められたページ数より多いページ数を有するジョブ、受信した印刷ジョブをＦＡＸ送信するジョブ、カラー印刷を実行するジョブ、及び印刷後に製本を行うジョブ、を示す種別が含まれることを特徴とする請求項３に記載の画像形成装置。
【請求項７】
ウェブサーバを備える画像形成装置と、情報処理装置と、ファイアウォールサーバとがネットワークを介して接続される画像形成システムであって、
前記情報処理装置は、
前記画像形成装置へ印刷ジョブの実行を要求する手段と、
前記画像形成装置から送信されるＵＲＬにアクセスする手段と
を備え、
前記画像形成装置は、
前記情報処理装置から受信した印刷ジョブを一時的に前記画像形成装置のメモリに蓄積する蓄積手段と、
前記印刷ジョブに固有に割り当てられる前記ウェブサーバにアクセスするためのＵＲＬを作成する作成手段と、
作成された前記ＵＲＬを前記情報処理装置に送信する送信手段と、
送信した前記ＵＲＬへのアクセスを検知する検知手段と、
前記ＵＲＬへのアクセスが検知されたことを条件として、一時的に蓄積された前記印刷ジョブの印刷を前記画像形成装置の印刷部に実行させる実行手段と
を備え、
前記ファイアウォールサーバは、
前記ネットワークに接続された外部ネットワークからの前記ＵＲＬへのアクセスを禁止する禁止手段を備えることを特徴とする画像形成システム。
【請求項８】
外部ネットワークからのアクセスを制限するファイアウォールサーバが備えられたネットワークに接続可能であり、ウェブサーバを備える画像形成装置の制御方法であって、
ネットワークを介して受信した印刷ジョブを一時的に前記画像形成装置のメモリに蓄積する蓄積ステップと、
前記印刷ジョブに固有に割り当てられる前記ウェブサーバにアクセスするためのＵＲＬを作成する作成ステップと、
作成された前記ＵＲＬへのアクセスを検知する検知ステップと、
前記ＵＲＬへのアクセスが検知されたことを条件として、一時的に蓄積された前記印刷ジョブの印刷を前記画像形成装置の印刷部に実行させる実行ステップと
を実行することを特徴とする画像形成装置の制御方法。
【請求項９】
ウェブサーバを備える画像形成装置と、情報処理装置と、ファイアウォールサーバとがネットワークを介して接続される画像形成システムの制御方法であって、
前記情報処理装置が、
前記画像形成装置へ印刷ジョブの実行を要求するステップと、
前記画像形成装置から送信されるＵＲＬにアクセスするステップと
を実行し、
前記画像形成装置が、
前記情報処理装置から受信した印刷ジョブを一時的に前記画像形成装置のメモリに蓄積する蓄積ステップと、
前記印刷ジョブに固有に割り当てられる前記ウェブサーバにアクセスするためのＵＲＬを作成する作成ステップと、
作成された前記ＵＲＬを前記情報処理装置に送信する送信ステップと、
送信した前記ＵＲＬへのアクセスを検知する検知ステップと、
前記ＵＲＬへのアクセスが検知されたことを条件として、一時的に蓄積された前記印刷ジョブの印刷を前記画像形成装置の印刷部に実行させる実行ステップと
を実行し、
前記ファイアウォールサーバが、
前記ネットワークに接続された外部ネットワークからの前記ＵＲＬへのアクセスを禁止する禁止ステップを実行することを特徴とする画像形成システムの制御方法。
【請求項１０】
外部ネットワークからのアクセスを制限するファイアウォールサーバが備えられたネットワークに接続可能であり、ウェブサーバを備える画像形成装置であって、
ネットワークを介して受信した印刷ジョブを一時的に前記画像形成装置のメモリに蓄積するか否かを判定する判定手段と、
前記判定手段によって前記受信した印刷ジョブを前記画像形成装置のメモリに蓄積すると判定されると、該印刷ジョブを該メモリに一時的に蓄積する蓄積手段と、
前記判定手段によって前記受信した印刷ジョブを前記画像形成装置のメモリに蓄積しないと判定されると、該印刷ジョブを破棄する破棄手段と、
前記印刷ジョブに固有に割り当てられる前記ウェブサーバにアクセスするためのＵＲＬであって、該印刷ジョブを実行するための第１ＵＲＬと、該印刷ジョブを破棄するための第２ＵＲＬとを作成する作成手段と、
作成された前記第１ＵＲＬまたは前記第２ＵＲＬへのアクセスを検知する検知手段と、
前記第２ＵＲＬへのアクセスが検知されたことを条件として、一時的に蓄積された前記印刷ジョブを破棄し、前記第１ＵＲＬへのアクセスが検知されたことを条件として、一時的に蓄積された前記印刷ジョブの印刷を前記画像形成装置の印刷部に実行させる実行手段と
を備えることを特徴とする画像形成装置。
【請求項１１】
前記印刷ジョブには、該印刷ジョブの送信元のメールアドレスを示す情報が含まれ、
前記作成手段によって作成された前記第１ＵＲＬ及び前記第２ＵＲＬを前記メールアドレスへの電子メールに付加して送信する送信手段をさらに備えることを特徴とする請求項１０に記載の画像形成装置。
【請求項１２】
前記メールアドレスに含まれるドメイン名であって、印刷を許可する前記ドメイン名を記憶する記憶手段をさらに備え、
前記判定手段は、
前記メールアドレスに含まれる前記ドメイン名が、前記記憶手段に記憶されていれば、前記受信した印刷ジョブを前記画像形成装置のメモリに蓄積すると判定し、前記記憶手段に記憶されていなければ、前記受信した印刷ジョブを前記画像形成装置のメモリに蓄積しないと判定することを特徴とする請求項１１に記載の画像形成装置。
【請求項１３】
外部ネットワークからのアクセスを制限するファイアウォールサーバが備えられたネットワークに接続可能であり、ウェブサーバを備える画像形成装置の制御方法であって、
ネットワークを介して受信した印刷ジョブを一時的に前記画像形成装置のメモリに蓄積するか否かを判定する判定ステップと、
前記判定ステップにおいて前記受信した印刷ジョブを前記画像形成装置のメモリに蓄積すると判定されると、該印刷ジョブを該メモリに一時的に蓄積する蓄積ステップと、
前記判定ステップにおいて前記受信した印刷ジョブを前記画像形成装置のメモリに蓄積しないと判定されると、該印刷ジョブを破棄する破棄ステップと、
前記印刷ジョブに固有に割り当てられる前記ウェブサーバにアクセスするためのＵＲＬであって、該印刷ジョブを実行するための第１ＵＲＬと、該印刷ジョブを破棄するための第２ＵＲＬとを作成する作成ステップと、
作成された前記第１ＵＲＬまたは前記第２ＵＲＬへのアクセスを検知する検知ステップと、
前記第２ＵＲＬへのアクセスが検知されたことを条件として、一時的に蓄積された前記印刷ジョブを破棄し、前記第１ＵＲＬへのアクセスが検知されたことを条件として、一時的に蓄積された前記印刷ジョブの印刷を前記画像形成装置の印刷部に実行させる実行ステップと
を実行することを特徴とする画像形成装置の制御方法。
【請求項１４】
請求項８又は１３に記載の画像形成装置の制御方法における各ステップをコンピュータに実行させるためのプログラム。
【請求項１５】
請求項９に記載の画像形成システムの制御方法における各ステップをコンピュータに実行させるためのプログラム。
【手続補正２】
【補正対象書類名】明細書
【補正対象項目名】発明の名称
【補正方法】変更
【補正の内容】
【発明の名称】画像形成装置、画像形成システム、それらの制御方法、及びプログラム
【手続補正３】
【補正対象書類名】明細書
【補正対象項目名】０００１
【補正方法】変更
【補正の内容】
【０００１】
本発明は、不正な印刷を防止するための画像形成装置、画像形成システム、それらの制御方法、及びプログラムに関するものである。
【手続補正４】
【補正対象書類名】明細書
【補正対象項目名】０００９
【補正方法】変更
【補正の内容】
【０００９】
本発明は、上述の問題に鑑みて成されたものであり、ユーザの利便性を大幅に損なわせることなく不正な印刷を防止する画像形成装置、画像形成システム、それらの制御方法、及びプログラムを提供することを目的とする。
【手続補正５】
【補正対象書類名】明細書
【補正対象項目名】００１０
【補正方法】変更
【補正の内容】
【００１０】
本発明は、例えば、外部ネットワークからのアクセスを制限するファイアウォールサーバが備えられたネットワークに接続可能であり、ウェブサーバを備える画像形成装置として実現できる。画像形成装置は、ネットワークを介して受信した印刷ジョブを一時的に画像形成装置のメモリに蓄積する蓄積手段と、印刷ジョブに固有に割り当てられるウェブサーバにアクセスするためのＵＲＬを作成する作成手段と、作成されたＵＲＬへのアクセスを検知する検知手段と、ＵＲＬへのアクセスが検知されたことを条件として、一時的に蓄積された印刷ジョブの印刷を画像形成装置の印刷部に実行させる実行手段とを備えることを特徴とする。
【手続補正６】
【補正対象書類名】明細書
【補正対象項目名】００１１
【補正方法】変更
【補正の内容】
【００１１】
また、本発明は、例えば、外部ネットワークからのアクセスを制限するファイアウォールサーバが備えられたネットワークに接続可能であり、ウェブサーバを備える画像形成装置として実現できる。画像形成装置は、ネットワークを介して受信した印刷ジョブを一時的に画像形成装置のメモリに蓄積するか否かを判定する判定手段と、判定手段によって受信した印刷ジョブを画像形成装置のメモリに蓄積すると判定されると、印刷ジョブをメモリに一時的に蓄積する蓄積手段と、判定手段によって受信した印刷ジョブを画像形成装置のメモリに蓄積しないと判定されると、印刷ジョブを破棄する破棄手段と、印刷ジョブに固有に割り当てられるウェブサーバにアクセスするためのＵＲＬであって、印刷ジョブを実行するための第１ＵＲＬと、印刷ジョブを破棄するための第２ＵＲＬとを作成する作成手段と、作成された第１ＵＲＬ及び第２ＵＲＬへのアクセスを検知する検知手段と、第２ＵＲＬへのアクセスが検知されたことを条件として、一時的に蓄積された印刷ジョブを破棄し、第１ＵＲＬへのアクセスが検知されたことを条件として、一時的に蓄積された印刷ジョブの印刷を画像形成装置の印刷部に実行させる実行手段とを備えることを特徴とする。
【手続補正７】
【補正対象書類名】明細書
【補正対象項目名】００１２
【補正方法】変更
【補正の内容】
【００１２】
本発明は、例えば、ユーザの利便性を大幅に損なわせることなく不正な印刷を防止することができる。